(57)【特許請求の範囲】
【請求項１】
複数の平行するリンクバーが上下方向に間隔をおいて連結されていることにより排煙口を形成するリンクグリルと，
前記リンクグリルの下方に釣り下げられた，上下方向に順次連結する複数の伸縮スラットと，
を備え，
前記複数の伸縮スラットは，それぞれ，
内部に収納空間を有する収納部と，
前記収納部の上端に設けられたフック辺と，
前記収納部の下端に形成された掛止め辺と，を有し，
上段に位置する伸縮スラットの収納部に下段に位置する伸縮スラットのフック辺が収納されている状態において，当該上段に位置する伸縮スラットの掛止め辺には，当該下段に位置する伸縮スラットのフック辺が係合するものであり，
前記下段に位置する伸縮スラットのフック辺が，前記上段に位置する伸縮スラットの収納部の内部を上下に移動することにより，各伸縮スラット間の連接長さが上下方向に伸縮する
排煙口付きシャッター。
【発明の詳細な説明】
【技術分野】
【０００１】
本発明は、鉛直方向に伸縮自在なスラットを利用し、そのスラットの伸縮を利用することで、シャッターの連動降下時等にシャッターケース下部から所定高さにわたって排煙口としてのリンクグリルが形成され、それより下部はスラットが降下して建屋開口部が閉鎖されるようにした排煙口付きシャッターに関し、押ボタン操作によるシャッターカーテンの開閉では通常の開口を区画する排煙口付きシャッターであって、押ボタン操作による閉鎖では通常の開口をふさぎ、連動降下等によって通常の区画の閉鎖状態からスラットが縮まることで再度降下し、シャッターケース内より自然排煙を行なうための、シャッターケースまたはまぐさ面下部のシャッターカーテンに排煙口を形成させるようにした重量シャッターに関するものである。
【背景技術】
【０００２】
管理用として使用される重量シャッターにおいて、自然排煙を行なうためリンクグリル等で形成される開口部分を排煙口とするタイプのシャッターが知られている。この種のシャッターは、シャッター閉鎖時に感知器連動等で排煙窓が開いたときに、排煙リンクないしグリルバーで形成される開口部から自然排煙をする機能を持たせたシャッターであって、設置されている場所は、例えば高層マンション等の１階の自然排煙を必要とする店舗の外部廻りによく見受けられる。また、自動車の排気ガス等が充満する車庫等ではパイプ式のリンクシャッターやスラットに孔をあけたシャッター等が利用されており、店舗の外部回り等管理用としてもサッシとの併設でよく利用されることがあるが、常にシャッターカーテン上部の排煙口となる部分は空いているため物（可燃物等重大なものも含む）を投げ入れる等のリスクについては常に配慮しなければならない。さらに、常にシャッターカーテン上部の排煙口が空いているために、砂塵および雨水の流入を防ぐことができなかった。
【０００３】
解決策としては、重量シャッターの現状スラットの連接部を鉛直方向に伸縮可能なスラットに置き換え、上部排煙リンクとすることで、通常の押ボタン操作による開閉では開口部全面スラットで覆うことができ、かつ感知器等の連動を利用することで開閉機のブレーキが開放し、スラットの自重と、スラット連接部が鉛直方向に縮むことによってより降下し、天井内部にある巻取シャフトに常時巻かれている排煙リンク部が開口に現れ、排煙機能を有するシャッターとして自然排煙および換気口のとれるシャッターとすることができる。このようなシャッターにおいて、シャターカーテンの降下時に該カーテンの上端部にグリルカーテン部やネットカーテン部を連設して排煙口付きシャッターとしたもの（特許文献１）が知られている。また、チェーンまたはベルト等の屈撓部材によりスラットカーテンを吊り下げて、スラットカーテンの上部全幅に所定開口高さの排煙口を形成させたシャッター（特許文献２）も多用されており、さらに、断面中央に水平方向に延びる角筒部を備え、その上部に連結片を立設すると共に、角筒部の底壁に下段スラットの連結片が脱落しないよう、かつ連結方向に伸縮可能に連結してなる伸縮シャッター（特許文献３）も知られている。
【０００４】
【特許文献１】実開平２−６４６９５号公報（第４頁２０行〜第６頁１０行、図１、７）。
【特許文献２】実開平２−６４６９６号公報（第５頁３〜１１行、図１）。
【特許文献３】実開昭６２−１８９４９２号公報（第４頁８〜１９行、図２（a）、（b）、図３）。
【０００５】
従来のシャッター装置１は、図７〜１０に示しように、建屋開口部のまぐさ２ａ内に配置されたシャッターケース３の内部に、鋼管製の巻胴（巻取シャフト）８を横置して防火・防煙スラット１０を巻付けている。シャッター開き時には、一連のスラット１０は通常、巻胴８に巻取られてまぐさ２ａ内部のシャッターケース３内に収納されている。巻胴８の左右の軸首は軸受ブラケット４ａ、４ａに支持されており、シャッターを閉める場合には、電動開閉機５を介し巻胴８を逆回転することにより建物内の開口部の壁に埋設したガイドレール９、９に沿って一連のスラット１０を天井２ｂより下降させることで建屋の開口部を閉鎖する。図７、８中、符号６ａ、６ｂはスプロケット、７は駆動チェーンである。
【０００６】
排煙口１１は、図９に拡大して示してあるが、天井２ｂより垂れ下がるスラットの中央を含む所定幅の上下方向に連結させた複数のリンクプレート（排煙リンク）１２と、リンクプレート間に水平方向に渡したグリルバー１３とで形成されるが、最上段スラット１０と最下段グリルバー１３との間に複数個の連結ピース１４、１４を介置してスラット１０とグリルバー１３とを連結してある。シャッター１の閉鎖時には、シャッターケース３の下部に位置する複数本（図３では１０本）のスラット１０を取り除いて、排煙リンク（リンクプレート）１２とグリルバー１３、１３とにより格子状の排煙窓又は排煙口１１を形成させる。なお、シャッター閉鎖は、電動開閉機の連動降下による閉鎖と、押しボタンによる閉鎖との二通あるが、押しボタンによる閉鎖と、連動・手動操作の閉鎖ではスラットの停止位置が僅かに異なる。
【０００７】
本発明は、押ボタン操作による開閉では通常の開口を区画するシャッターであって、連動降下での押ボタン操作による閉鎖では通常の開口を塞ぎ、連動降下での閉鎖時に自然排煙を行なうため、シャッターケース下部のシャッターカーテンに排煙口を形成させるようにした重量シャッターであって、スラット鉛直方向の伸縮を利用することで、連動降下時にスラットカーテンの中央上端から所定幅、高さの排煙窓（排煙口）を形成させるようにしたものである。
すなわち、本発明は、シャッター管理時には開口前面を塞ぎ、感知器連動又はスイッチ操作で排煙機能を持たせた伸縮シャッターを降下させるようにした管理用シャッターであって、シャッター閉鎖時、または建築用シャッターの上昇時に火災感知器等の連動で開閉機のブレーキを開放しスラットの自重降下でシャッターを閉鎖したとき、前記シャッター閉止時におけるまぐさ下部の所定幅で所定高さにわたり、排煙口を形成するグリルを組付けてなるものであって、シャッター管理時には、自然排煙を行なうために、複数のリンクプレート（排煙リンク）と上下方向に間隔をおいて連結された複数のリンクバーによって伸縮スラットカーテンの中央上端から、例えば、縦５００〜８００ｍｍ、幅５００〜８００ｍｍ程度、または縦３００〜１０００ｍｍ、幅５００〜１０００ｍｍ程度の排煙窓（排煙口）を形成させてなるものである。
【発明の開示】
【発明が解決しようとする課題】
【０００８】
店舗の外部廻り等に管理用としてサッシとシャッターを併設または単独設置することがあり、シャッターカーテンの上部に防災上自然排煙できるように排煙口部分をグリルシャッターとしたシャッターを設置する場合があるが、シャッターを全閉したとき、シャッタケース又はまぐさ面下部のシャッター上部部分に形成した排煙口が常時開口されているため、排煙口から火炎物、危険物などの重大なものを含む異物が投げ入れられた際のリスクについて常時、配慮する必要があった。また、常に開口部が空いているために、砂塵や雨水の流入を防ぐことができなかった。  
【課題を解決するための手段】
【０００９】
上記目的を解決するため、本発明の請求項１にかかる発明は、伸縮スラット鉛直方向の伸縮を利用することで、連動降下時等に排煙口としてのリンクグリルを形成させることを特徴とする排煙口付きシャッターである。請求項２は、押ボタン操作によるシャッターカーテンの開閉では通常の開口を区画するシャッターであって、連動降下等での閉鎖時に自然排煙を行なうため、シャッターケース下部の所定高さ範囲にわたるシャッターカーテンに排煙口を形成させるようにした排煙口付きシャッターである。請求項３にかかる発明は、スラットの鉛直方向の伸縮を利用することで、シャッターの連動降下時等にシャッターケース下部から所定高さにわたって排煙口としてのリンクグリルが形成され、それより下部はスラットが降下して建屋開口部が閉鎖されることを特徴とする記載の排煙口付きシャッターである。
請求項４は、伸縮スラットを連接した重量シャッターであって、火災感知器等の連動又は手動装置の作動により電動開閉機のブレーキを解放し、シャッターカーテンの自重降下でシャッターをより降下させたとき、シャッターケースより下部に向って、幅方向に伸びる複数本のパイプをリンクにより上下方向に連結してなるリンクグリルにより排煙口を形成させ、それより下部に伸縮スラットを連接してなることを特徴とする排煙口付きシャッターであって、押しボタン操作でシャッターを降下させたときに、開口部を全て閉鎖することができる。請求項５は、自然排煙を行なうため、シャッターケース下部の上端から必要面積のリンクグリルで排煙口を形成させたことを特徴とする請求項１〜４のいずれか１つの項に記載の排煙口付きシャッターである。
【００１０】
以下、本発明の実施形態を図面に基づいて説明する。図１は、本発明の実施形態を示すもので、図１は本発明排煙口付き管理用シャターにおいて通常の押ボタン操作による閉鎖時の状態を示す正面図。図２は図１のシャッタケース部分の拡大断面図。図３は図２の伸縮スラット連結部の拡大断面図。図４は図１において感知器等の信号によって再降下して排煙口付き管理用シャッターとした状態を示す正面図。図５は、図４の側面図、図５は図４の拡大側面図。図６はスラットとリンクグリルとの連結部分を一層拡大して示した側面図である。
【００１１】
本発明シャッターは、図１〜６に示すように、主に建物内の開口部、天井２ｂ内等に軸受ブラケット４ａ、４ａを設けてシャッター巻取シャフト（鋼管巻胴）８を軸支すると共に、一方には開閉機ブラケット４ａを設けて電動開閉機５を取付ける。廊下、出入口など建物開口部の左右両壁側には巻取シャフト８から引き下ろした一連のスラット１０を案内するガイドレール９、９を設けている。軸首とシャフトスプロケット６ａはキー（図示省略）により固定されており、電動開閉機５の出力軸の回転に伴ってシャフトスプロケット６ａが回転し、同時に巻取シャフト８も回転するが、常に、シャフト軸首には常時大きなトルクがかかっている。
【００１２】
シャッター管理時には、開口前面を塞ぎ、感知器連動又はスイッチ操作で排煙機能を持たせたシャッターの下降により、天井よりのシャッター上部に排煙グリルによる排煙口１１が形成されて室内空気と外気とが流通できるようにした管理用シャッターである。シャッター閉鎖時、または建築用シャッターの上昇時に熱又は煙で作動する火災感知器等（図示省略）の連動で電動開閉機５のブレーキを開放しスラットの自重降下でシャッターを閉鎖したとき、前記シャッター閉止時における「まぐさ２ａ」下部の所定幅で所定高さにわたり、排煙窓または排煙口１１を形成するグリルバー１３を組付けている。なお、防火、伸縮スラット２０は、通常、断面変形Ｓ字状をなし、上下スラット１０のＳ字状端を順次係合してなるものであるが、スラットの断面形状は図示のものに限定されない。シャッター閉止状態の管理時には、自然排煙を行なうためにシャッターカーテンの上部分を、グリルバーで形成される開口部分が排煙口１１とされる。
【００１３】
図２に示すように、駆動側（電動開閉機４の設置側）のシャフト軸首にキー（図示省略）を用いてシャフトスプロケット６ａを固着すると共に、軸受けブラケット４aの側方に開閉機ブラケット４bを設けて電動開閉機４を取付け、その出力軸端にスプロケット６ａを突出させ、両スプロケット６ａ、６ａ間に駆動チェーン７を巻き掛けている。軸首とスプロケット６ａ、６ｂはキーにより固定されており、シャフトスプロケット６ｂの回転と同時に巻取シャフト８も回転する。
【００１４】
図３は図２における伸縮スラットの連結状態を拡大して示した断面図、図４は図１から３に示す伸縮スラット式シャッターの降下時に天井下近くに排煙口を形成させた状態の正面図。図５は図４における排煙口部分の拡大断面図、図６は図５における排煙リンクと伸縮スラットとの連結部分を一層拡大して示した断面図である。
図示のように、伸縮スラット２０の上部長手方向に間隔をあけて複数個の連結ピ−ス１４、１４を設け、長手方向にフック辺２３、下部長手方向には下段スラットのフック辺に係合する掛止め辺２１、２４を有し、各スラット間の連接長さを上下方向伸縮可能に順次掛け止めてなるもので、図示のように、複数本の平行するリンクバー１３、１３の長手方向定ピッチにリンク（排煙リンク）１２、１２をそれぞれ取り付けて連結したうえ、最下段リンクバー１３と最上段スラット２０との間に、間隔をおいて数個の連結ピース１４を介装して連結してある。グリルバー１３、１３（図５、図６）の各段間隙は、リンク１２、１２で保持されているので、火災等の発生時に、上記間隙が排煙口１１を形成して建屋内に発生した煙や排ガスを屋外に排出させることができる。スラット２０として、断面変形Ｓ字状をなし上下スラットのＳ字状端を順次係合してなるインターロッキング形を示したが、図示のものに限定されず、Ｕ形びょうつづり形（図示省略）など他の形状のものでもよい。なお、図中、４ａは軸受ブラケット、４ｂは開閉機ブラケット、５は電動開閉機、６は駆動チェーン、６ａはスプロケット、６ｂはシャフトスプロケット、7は駆動チェーン、８は巻取シャフト、９はガイドレールである。
【００１５】
本発明は、押ボタン操作による通常時のシャッター開閉の場合においては室内間仕切や外部まわりで使用するなど間口を完全にふさぐことができ、連動降下時にはスラットが縮まることで、天井内のシャフトに巻き取られているリンクグリルが出てきて排煙口（排煙窓）を形成させるようにしたものである。すなわち、押ボタン操作による閉鎖時に建屋開口部を全面閉鎖することができると共に、火災発生時または点検その他、必要に応じ、全降下時のシャッターカーテンの上端部近く、又はまぐさ下部にリンクグリルによる排煙口または換気口が形成されるようにした排煙口付きシャッターを提供することを目的としている。
【発明の効果】
【００１６】
本発明シャッターは、通常の押ボタン操作での閉鎖の場合には開口全面を区画する。さらに、感知器連動又は点検、テストなど任意のスイッチ操作もしくは手動操作により、シャッターケース下部のシャッターカーテン中央上端から必要面積のリンクグリルで排煙機能を持たせたシャッターを提供とするものであって、通常の管理を行なう場合には、排煙機能を持たせたシャッターの降下によりショウウインドウや建屋開口部に全面を塞ぎ、火災発生等の際には熱又は煙感知器連動で、又は点検時のスイッチ操作で、シャッター閉鎖時に、スラットとリンクグリルを連結させた形態のシャッターを降下させることにより排煙機能を持たせた排煙口付きシャッターとすることができるため極めて有益である。
【発明を実施するための最良の形態】
【００１７】
以下、本発明の実施形態を図面に基づいて説明する。図１は本発明排煙口付き管理用シャターにおいて通常の押ボタン操作による閉鎖時の状態を示す正面図。図２は図１に示す伸縮スラット式シャッターの巻上シャフト付近の拡大断面図。図３は図２における伸縮スラットの連結状態を拡大して示した断面図。図４は図１から３に示す伸縮スラット式シャッターの降下時に天井下近くに排煙口を形成させた状態の正面図。図５は図４における排煙口部分の拡大断面図。図６は図５における排煙リンクと伸縮スラットとの連結部分を一層拡大して示した断面図。図７は従来方式の排煙リンク付きシャッター降下時の状態を示す正面図。図８は図７の断面図。図９は図７において感知器等の信号によって再降下して排煙口付き管理用シャッターとした状態のスラットとリンクグリルとの連結部分の拡大正面図。図１０は図９の断面図である。
【００１８】
本発明は、押ボタン操作による開閉により通常の開口を区画する伸縮シャッターであって、連動降下での押ボタン操作による閉鎖では通常の開口をふさぎ、連動降下での閉鎖時に自然排煙を行なうため、シャッターケース下部のシャッターカーテンに排煙口を形成させるようにしたシャッターであり、スラット鉛直方向の伸縮を利用することで、連動降下時に排煙口としてのリンクグリルを形成させる。なお、図７〜１０において、図１〜６と同じ部分は同じ符号を付してある。
【００１９】
最上段のスラットは、図２、３に示すように、リンクプレート（排煙リンク）１２の最下端グリルバー１３に連結ピース１６を介して上下方向に連結された多数の伸縮スラット２０を釣り下げる。最上段伸縮スラット２０ａは、断面中央に中空部２２、上方に連結辺２１、中空部２２の前後面から下方に垂れ下げた前壁２３と後壁２４とを有し、次段以下の伸縮スラットを順次連結する。
次段以下の伸縮スラット２０は、図３に示すように、断面中央に水平方向に延びる角筒部２１を有し、その上壁中央に上方に延びるフック辺２３を形成し、角筒部３１の下部長手方向に前後に略同じ長さの延長辺３３、３４を一体に形成し、かつ一方の延長辺３３の下端に直角折曲部３５を形成し、他方の延長辺３４の下端に、下段伸縮スラット２０を連接したとき、下段スラット２０のフック辺２３を掛け止める係合部２５を備えている。
【００２０】
更に詳しく説明すると、角筒状の収納部１７と収納部の上端に設けた挿入板３２の端部に円筒状の連結部２７を設け、また収納部１７の一方の側壁下端部に遮蔽板２８を突出させた押出成形品で、収納部１７の支持面には複数個の挿入孔１８を所定間隔毎に穿設し、挿入板１９と連結部２７を前記挿通孔１８に対応するよう所定間隔毎に切欠部２８を設け、上または下スラット２０の挿入板を次段スラットの挿入孔１８に順次挿入して連結部２７の連結棒２９を全通し、スラット１０を順次連結してスラット同士を組立ててなるものである。
また、図２に示すように、最下段リンクのリンクバー１３にかけ止めたリンクプレート１２に吊り下げられている。最上段の伸縮スラット２０は角筒部２１の中央上方に前記連結ピース１６に固着される連結辺２２を有し、かつ角筒部２１の前後面からそれぞれ下向の延長辺２２、２４を一体に形成させている。一方の延長辺２４の下端は、下段スラットの上部にフック辺２３を固着して、下段スラット２０における一方の前垂れ辺２４の下縁に掛止め受部２５を形成して、次段スラット２０の上部連結辺２３と係合する掛け止め受部２５を形成させている。シャッター降下時には、順次、スラットを垂れ下げ、巻取時には、下段スラット２０の係合辺３６と、上段スラットのフック辺３２と下段スラットの掛止辺３３と屈曲することで巻取軸８に巻き取ることで、円滑に、巻き上げる。この動作の間、各スラット間の連接長さを所定の範囲内で上下方向伸縮可能に順次掛け止めている。なお、シャッター管理時には、自然排煙を行なうためにシャッターカーテンの中央上端から例えば、縦５００〜８００ｍｍ、幅５００〜８００ｍｍ程度、または縦３００〜１０００ｍｍ、幅５００〜１０００ｍｍ程度、リンクグリルで排煙口１１を形成させるものである。
【００２１】
図３に拡大して示すように、各伸縮スラット２０の上部長手方向にフック辺２３、下部長手方向には下段スラットのフック辺２３に係合する掛止め辺２５、２６を有し、各スラット間の連接長さを上下方向伸縮可能に順次掛け止めてなる。更に詳しく説明すると、中空状の収納部１７と収納部の上端に設けた挿入板３２の端部に円筒状の連結部２７を設け、また収納部１７の一方の側壁下端部に遮蔽板２８を突出させた押出成形品で、収納部１７の支持面には複数個の挿入孔１９を所定間隔毎に穿設し、挿入板１９と連結部２７を前記挿通孔１８に対応するよう所定間隔毎に切欠部２８を設け、上または下スラット１５、１６の挿入板を次段スラットの挿入孔１８に順次挿入して連結部２７の連結棒２９を全通し、スラット１５を順次連結してスラット同士を伸縮自在に組立てる。
【００２２】
図４は図１に示す伸縮スラット式シャッターの降下時に天井下に排煙口を形成させた状態の正面図。図５は図４の拡大断面図。図６は図５におけるリンクプレート（排煙リンク）と伸縮スラットとの連結部分を拡大して示した断面図である。
各伸縮スラット２０は、角筒状スラット本体の上部にフック辺２２を立設し、本体の前後壁から垂れ下げ辺２３、２５を設け、一方の垂れ下げ辺２３の下端に内方に向けて僅かに突出する折り曲げ辺２４、他方の垂れ下げ辺２５の下端に内方にフック状の折り曲げ辺２６を形成させる。また、本体の後壁３４に下段スラットのフック２３に係合する掛止め部２５を形成させて、各スラット間の連接長さを上下方向伸縮可能に順次掛け止めている。すなわち、前壁２１と後壁３４に
角筒部２１の上部にフック辺２２を立設し、角筒部２１の前後の壁を下方に延長し、前壁２３の下端に僅かに内方に折曲げた折曲部２４を形成すると共に、後壁２３の下端に内方に折曲げたフック状折曲部２５を形成してある。
【００２３】
各スラット２０の角筒状収納部１７と収納部の上端に設けた挿入板３２の端部にフック状の連結部２７を設け、また収納部１７の一方の側壁下端部に遮蔽板２８を突出させた押出成形品で、収納部１７の支持面には複数個の挿入孔１８を所定間隔毎に穿設する。挿入板１９と連結部２７を前記挿通孔１８に対応するよう所定間隔毎に切欠部２８を設け、上または下スラット２０の挿入板を次段スラットの挿入孔１８に挿入することにより、順次連結してスラット同士を伸縮自在に組立ててなるものである。
なお、図３、６中、符号２０は伸縮スラット、２１は角筒部、２２は上部連結辺、２３はフック、２４は前垂れ辺、２５はカギ部、２６は後垂れ辺、２７は掛止め受部、２８は上部連結辺の挿入部である。２１は伸縮スラットの断面中央に形成させた角筒部、２２は角筒部２１の上部連結辺、２３は上部連結辺２１の上端のフック、２４は前垂れ辺、２５は前垂れ辺の下端に形成させたカギ部、２６は後垂れ辺、２７は後垂れ辺の下端に形成させた掛止め受部、２８は上部連結辺２２の挿入部である。
【００２４】
通常は、シャッターの降下によりショウウインドウや開口部を塞ぎ、シャッター管理時には、自然排煙を行なうために、例えばシャッターカーテンの高さを３５００ｍｍとしたとき、シャッターケース３又はまぐさ面の下部から、高さ５００〜８００ｍｍ程度、幅は開口幅の範囲のリンクグリルによって排煙窓又は排煙口１１を形成させておく。シャッターが降下状態にあるとき、火災等が発生した場合には熱又は煙感知器の信号により電動開閉機５を作動してリンクグリルにより所定開口幅、高さの排煙口１１を開口させて自然排煙する。
【００２５】
図１〜３は、本発明排煙口付き管理用シャッターの実施例を示すもので、図１は本発明を伸縮スラット式シャッターに適用した実施例の正面図、図６は伸縮リンク形シャッターの巻上シャフト付近の拡大断面図、図３は図２における伸縮スラットの連結状態を拡大して示した断面図。図４は図１に示す伸縮スラット式シャッターの降下時に天井下近くに排煙口を形成させた状態の正面図。図５は図４の拡大断面図。図６は図５における排煙リンクと伸縮スラットとの連結部分を一層拡大して示した断面図である。
この実施例の伸縮スラット２０は、図２〜３に示すように、断面中央に水平方向に延びる角筒部１７の上面中央にフック辺２１を起立させ、角筒部１７の前後壁面から下方に向けて延長辺１８、１９を垂れ下げ、一方の延長辺１８の下端に鈎部２１、他方の延長辺１９の下端にフック部２２を形成させてあり、長手方向には下段スラットのフック辺２３に係合する掛止辺２５、２６を有して各スラット間の連接長さを上下方向伸縮可能に順次掛け止めた伸縮スラットからなる管理用シャッターである。上記図中、符号１８は角筒状収納部、１９は上部連結辺、１９ａは上部フック辺、２１は前垂れ辺、２２は後ろ辺、２３は掛止め受部、２４は連結辺、２５はフック辺、２５、２６は掛止め辺、２７は延長辺、２８は直角折曲部、２９はフック辺、３０は係合辺、３１は連結部、３２は挿入板である。
【００２６】
本発明は、押ボタン操作による開閉では通常の開口を区画するシャッターであって、連動降下での押ボタン操作による閉鎖では通常の開口をふさぎ、連動降下での閉鎖時に自然排煙を行なうため、シャッターケース下部のシャッターカーテンに排煙口を形成させてなる重量シャッターであり、一連のスラット鉛直方向の伸縮を利用することで、連動降下時に排煙口としてのリンクグリルを形成させるようにしたものである。このため、このシャッターは、（ａ）管理時には開口全面を塞ぎ、感知器（図示省略）連動および任意で排煙機能を持たせたシャッターとする。連動降下等の場合には、図４、図５及び図６に示すように、天井近くの中央所定幅に開口部（排煙口）１１が形成された状態で静止させることができる。その場合に、感知器連動およびテストその他任意の開閉機操作で開閉させることができる。（ｂ）上記（ａ）の状態から開口部分を形成する排煙リンク部だけの長さを更に巻き上げることにより、図１のように、シャッターを完全に閉鎖することができる。
なお、建築用シャッターの異常時には、信号、警報音、警報ランプ点滅させてシャッターカーテンの駆動を停止する。目視により異常発生を確認したとき、手動で電動開閉機４を操作しモータを停止させ。自動的に検出する場合には、信号検出→コントローラ→電動開閉機を自動停止、図示省略の警報発生ブザーなどの異常を知らせる信号も出力すると同時に警報ランプ点滅させることも可能である。
【００２７】
上記シャッターは、通常の押ボタン操作での閉鎖の場合には開口全面を区画し、感知器連動又は点検、テストなど任意のスイッチ操作もしくは手動操作により、閉鎖時におけるシャッターケース下部のシャッターカーテン中央上端から例えば、縦５００〜８００ｍｍ程度のリンクグリルで排煙口を形成させることで排煙機能を持たせたシャッターとすることができる。管理時には、排煙機能を持たせたシャッターの降下によりショウウインドウや建屋開口部のグリルを除く全面を塞ぎ、火災発生等の際には熱又は煙感知器連動で、又は点検時のスイッチ操作で、スラットとリンクグリルを連結させた形態のシャッターを降下させることにより天井下部分に排煙機能を持たせた排煙口付きのシャッターを提供できるため極めて有益である。
【００２８】
本発明は、押ボタン操作による開閉では通常の開口を区画するシャッターであって、連動降下での押ボタン操作による閉鎖では通常の開口をふさぎ、連動降下での閉鎖時に自然排煙を行なうため、シャッターケース下部のシャッターカーテンに排煙口を形成させるようにした重量シャッターであって、重要な作用を列記すると下記のとおりである。
(ａ) 通常の開閉時に、シャッター設置位置内の上部にリンクグリルによる排煙口１１を形成させて排煙、換気をとることができ、また、リンクグリル部分までケース内に巻き込むことにより建屋の開口部を全面閉鎖（グリルを除き）することができる。これらの操作は、感知器連動又は手動スイッチの操作で容易に行なうことができる。
(ｂ) 上下に連接する伸縮スラット（スチール又はアルミ製）の上方にフック、下方に受け部を形成させて互いに掛け合わせ、カーテンの上下方向長さを伸縮可能に連結することにより、シャッターカーテンの有効長さを伸ばしたり縮ませたりすることができる。スチール又はアルミ製の伸縮機構付きスラットを使用するときには、スラット上下方向に伸ばしたり縮ませたりすることができる。
（ｃ）巻取り式シャッター及びオーバードアタイプ（避難扉付き）のシャッターにも適用も可能であり、シャッターの施工方法は従来どおりである。
【００２９】
本発明シャッターは、管理時には、自然排煙を行なうためにスラットカーテンの、例えば上部分５００〜８００ｍｍ、幅５００〜８００ｍｍまたはそれ以上を、グリルバーで形成される開口部分により排煙口を形成させものであって、下記のような特性を備えている。
（イ）シャッター閉鎖時に熱又は煙感知器連動で排煙口を開かせたときに、グリルバーで形成される開口部から自然排煙させるシャッターである。
（ロ）また、排煙機能を持たせたシャッターの降下によりショウウインドウや建屋開口部内の上部に排煙口１１を形成させる。
（ハ）排煙口を形成するスラットも巻き上げて全面を塞ぎ、火災発生等の際には感知器連動で、シャッターを開かせることができる。
（ニ）手動で電気開閉器をＯＮにして排煙機能を持たせたシャッターを降下させることができる。
【図面の簡単な説明】
【００３０】
【図１】本発明排煙口付き伸縮スラット式シャッターの正面図。
【図２】図１に示す伸縮スラット式シャッターの巻上シャフト付近の拡大断面図。
【図３】図２における伸縮スラットの連結状態を拡大して示した断面図。
【図４】図１から３に示す伸縮スラット式シャッターの降下時に天井下近くに排煙口を形成させた状態の正面図。
【図５】図４における排煙口部分の拡大断面図。
【図６】図５における排煙リンクと伸縮スラットとの連結部分を一層拡大して示した断面図。
【図７】従来方式の排煙リンク付きシャッター降下時の状態を示す正面図。
【図８】図７の断面図。
【図９】図７において感知器等の信号によって再降下して排煙口付き管理用シャッターとした状態のスラットとリンクグリルとの連結部分の拡大正面図。
【図１０】図９の断面図である。
【符号の説明】
【００３１】
１  シャッター装置                  ２ａ  まぐさ          
２ｂ  天井                          ３  シャッターケース    
４ａ  軸受ブラケット                ４ｂ  開閉機ブラケット  
５  電動開閉機                      ６ａ  スプロケット
６ｂ  シャフトスプロケット          ７  駆動チェーン
８  巻取シャフト（鋼管巻胴）        ９  ガイドレール  
１０  伸縮スラット                  １１  排煙口（リンクグリル）
１２  リンクプレート（排煙リンク）  １３  グリルバー 
１４、１７  連結ピース              ２０  伸縮スラット
２１  伸縮スラットの角筒部          ２２  上部連結辺  
２３  フック                        ２４  前垂れ辺      
２５  カギ部                        ２６  後垂れ辺    
２７  掛止め受部                    ２８  連結辺挿入部
【図１】
0005399201.tif 000002
【図２】
0005399201.tif 000003
【図３】
0005399201.tif 000004
【図４】
0005399201.tif 000005
【図５】
0005399201.tif 000006
【図６】
0005399201.tif 000007
【図７】
0005399201.tif 000008
【図８】
0005399201.tif 000009
【図９】
0005399201.tif 000010
【図１０】
0005399201.tif 000011